(57)【特許請求の範囲】
【請求項１】
内部に作物を栽培する空間を備えた作物栽培ハウスであって、
地面から垂直に立設された略長方形状の背面部と、
前記背面部の両端に設けた側面部と、
前記二枚の側面部の間に設けられ前記背面部よりも背の低い正面部と、
これら背面部、側面部及び正面部の上側に設けられ、一端を正面部の上端縁と接続され、他端を背面部の上端縁と接し、背面部側にいくほど上方に傾斜した開閉可能な天井部と、を有すると共に、
前記天井部、前記側面部、前記正面部及び／または前記背面部は、鉄骨または軽量鉄骨の枠体の内側に二枚の金網と前記二枚の金網の間に挟まれた平面体と、を有し、前記金網と前記平面体との間には隙間が設けられていることを特徴とする作物栽培ハウス。
【請求項２】
前記平面体は、透明または半透明のガラス板であることを特徴とする請求項１に記載の作物栽培ハウス。
【請求項３】
前記天井部の外端縁にネットを取り付け、前記側面部と前記背面部の上部がネットで覆われていて、前記ネットの下端には錘が取り付けられていることを特徴とする請求項１または請求項２に記載の作物栽培ハウス。
【請求項４】
前記金網は、線の直径が４ミリメートル以上６ミリメートル以下であって、網目が１０センチメートル以上１５センチメートル以下であることを特徴とする請求項１から請求項３いずれか１つに記載の作物栽培ハウス。
【請求項５】
前記天井部の内側に、換気扇が取り付けられていることを特徴とする請求項１から請求項４いずれか１つに記載の作物栽培ハウス。
【発明の詳細な説明】
【技術分野】
【０００１】
本発明は、台風その他の風雨から作物を守ることができ、換気や日光調節も行うことができる作物栽培ハウスに関する。
【背景技術】
【０００２】
作物を栽培する際、温度を周囲より高く保つため、また、昼夜の温度差を少なくするため、作物栽培ハウスが広く使われている。通常の作物栽培ハウスは、金属の枠組に、ビニールシートを貼ったものである。ビニールシートは、日光を通すが、風は遮る性質があるため、ハウス内の温度を一定に保ち、外気との温度差を緩和する効果を有する。しかし、強度が弱く、風で飛んできた木の枝や落下物によって、ビニールシートが破れてしまうことがある。また、ビニールシートは、イチゴ栽培用では毎年、その他の作物でも数年に一度は新品と交換する必要があり、コストが高くつくという問題もある。
【先行技術文献】
【特許文献】
【０００３】
【特許文献１】特開２００８−２８３９３８
【発明の概要】
【発明が解決しようとする課題】
【０００４】
そのような問題を解決するため、これまで、様々な作物栽培ハウスが考案されている。特許文献１の作物栽培ハウスは、ビニールシートではなくガラスを張った栽培ハウスであり、天井に天窓を設け、その下に遮光カーテンと防虫ネットを設けた構造となっている。ガラスは、ビニールシートより頑丈で、交換の必要がないため維持コストも抑えられるが、大きな衝撃が加わると割れる危険がある。また、防虫ネットと遮光カーテンは、強度が弱く、天窓開放時に、風で飛んできた木の枝等の落下物によってガラスが破損すると、落下したガラス破片によって、遮光カーテンや防虫ネットが破損する恐れがある。天窓を閉めておけば、落下物から守ることができるが、換気ができないので、作物から出た湿気がこもってしまい、作物の生育に悪影響を与えてしまう。
【０００５】
そこで、この発明の目的は、台風や大雨の被害から作物を守れて、日光調節や換気も行うことができる強固で便利な作物栽培ハウスを提供することにある。
【課題を解決するための手段】
【０００６】
この発明の作物栽培ハウスは、内部に作物を栽培する空間を備えた作物栽培ハウスであって、地面から垂直に立設された略長方形状の背面部と、前記背面部の両端に設けた側面部と、前記二枚の側面部の間に設けられ前記背面部よりも背の低い正面部と、これら背面部、側面部及び正面部の上側に設けられ、一端を正面部の上端縁と接続され、他端を背面部の上端縁と接し、背面部側にいくほど上方に傾斜した開閉可能な天井部と、を有すると共に、前記天井部、前記側面、前記正面及び／または前記背面は、鉄骨または軽量鉄骨の枠体の内側に二枚の金網と前記二枚の金網の間に挟まれた平面体と、を有することを特徴とする。
【０００７】
この発明によれば、作物栽培ハウスは、透明または半透明の平面体を二枚の金網で挟みこんだ壁面で構成されているため、強風や大雨、大雪の被害を受けにくい。また、天井部が開閉可能となっているため、換気を行うことができ、ハウス内の温度が上がりすぎることを防止でき、また、作物からの湿気でハウス内の湿度が上がりすぎることも防止できる。
【０００８】
また、この発明の作物栽培ハウスの前記平面体は、透明または半透明のガラス板であることを特徴とする。
【０００９】
この発明によれば、透明または半透明のガラスと金網越しに、日光をハウス内に取り込むことができる。また、外から、ハウス内の作物の生育状況を確認することができる。
【００１０】
また、この発明の作物栽培ハウスの前記天井部の外端縁には、ネットを取り付け、前記側面部と前記背面部の上部がネットで覆われるようにしたことを特徴とする。
【００１１】
この発明によれば、天井部を開けたときに、側面部または背面部との空間から虫やゴミが侵入することを防ぎつつ、換気を行うことができる。
【００１２】
また、この発明の作物栽培ハウスの金網は、線の直径が３ミリメートル以上７ミリメートル以下であって、網目が５センチメートル以上３５センチメートル以下であることを特徴とする。
【００１３】
この発明によれば、外部からの落下物や衝撃によって、作物栽培ハウスの平面体が破損することを予防し、丈夫な作物栽培ハウスとすることができ、作物を保護することができる。
【００１４】
また、この発明の作物栽培ハウスの上方位置には、換気扇が取り付けられていることを特徴とする。
【００１５】
この発明によれば、天井部を開けて換気をする際に、上方位置に取り付けられた換気扇を作動させれば、外気とハウス内の空気の入れ替わりを促進することができ、換気の効率を上げることができる。また、雨等で、天井部を開けられない時でも、換気扇を作動させれば、ハウス内の空気を循環させることができる。ハウス内で空気が滞留した部分があると、その部分には害虫が発生しやすいため、換気扇を作動させて空気を循環させることによって、害虫の発生を抑制できる。
【図面の簡単な説明】
【００１６】
【図１】この発明の実施の形態１にかかる作物栽培ハウス１００を示す斜視図である。
【図２】図１に示した作物栽培ハウス１００の枠体について、正面及び右側面を示す参考図である。
【図３】図１に示した作物栽培ハウス１００の枠体について、正面及び左側面を示す参考図である。
【図４】図１に示した作物栽培ハウス１００の背面の枠体を示す参考図である。
【図５】図１に示した作物栽培ハウス１００の背面図である。
【図６】図５に示した作物栽培ハウス１００のＡ−Ａ断面図である。
【図７】図６に示した作物栽培ハウスのＢ部拡大図である。
【図８】図１に示した作物栽培ハウス１００の天井部１を開けた状態を示す斜視図である。
【図９】図８に示した作物栽培ハウス１００の枠体を示す参考図である。
【図１０】図５に示した作物栽培ハウス１００の天井部１を開けた状態のＡ−Ａ断面図である
【図１１】図１に示した作物栽培ハウス１００の正面図である
【図１２】図１に示した作物栽培ハウス１００の平面図である。
【図１３】この発明の実施の形態２にかかる作物栽培ハウス２００を示す斜視図である。
【図１４】図１３に示した作物栽培ハウス２００の背面図である。
【図１５】図１４に示した作物栽培ハウス２００のＣ−Ｃ断面図である。
【図１６】図１３に示した作物栽培ハウス２００の天井部１を開けた状態を示す斜視図である。
【図１７】図１４に示した作物栽培ハウス２００の天井部１を開けた状態のＣ−Ｃ断面図である。
【図１８】この発明の実施形態３にかかる作物栽培ハウス３００の参考断面図である。
【図１９】図１８に示した作物栽培ハウス３００の天井部１を開けた状態の参考断面図である。
【発明を実施するための形態】
【００１７】
（実施の形態１）
図１は、この発明の実施の形態１にかかる作物栽培ハウス１００を示す斜視図である。図２は、図１に示した作物栽培ハウス１００の枠体について、正面及び右側面を示す参考図であり、図３は、図１に示した作物栽培ハウス１００の枠体について、正面及び左側面を示す参考図である。図４は、図１に示した作物栽培ハウス１００の背面の枠体を示す参考図である。
【００１８】
図１に示すように、本発明の作物栽培ハウス１００は、地面に垂直に設けられた横長の長方形状の正面部３、正面部３の両側に設けられた側面部２及び正面部３と対向するように設けられた背面部４（不図示）によって四方を囲み、壁面の上側に傾斜面を有する天井部１を設けたハウスである。正面部３、側面部２、背面部４及び天井部１は、鉄骨で作成された枠体に、二枚の金網で挟まれた平面体を張った構成となっている。  
【００１９】
作物栽培ハウス１００の正面部３の正面枠体３１は、略長方形であって、棒状の鉄骨又は軽量鉄骨に組んで作成してある。枠体を組む鉄骨又は軽量鉄骨は、中空のパイプ形状でも良く、また、Ｈ型鋼でも良い。正面枠体３１の中には、外側金網３２が張られている。外側金網の内側には平面体３３（不図示）及び内側金網３４（不図示）が重ねて張られている。平面体３３及び内側金網３４については後述する。
【００２０】
正面部３の両端には、正面部３に対して垂直に側面部２が設けられている。側面部２は、正面部３の両側に、左右対称に設けられている。側面部２は、それぞれ、棒状の鉄骨又は軽量鉄骨を組んで作成した枠体からなる側面枠体２１と、側面枠体２１のなかに張られた外側金網２４を有する。外側金網２２の裏側には平面体２３（不図示）と内側金網２４（不図示）が重ねて張られている。平面体２３及び内側金網２４については後述する。枠体を形成する鉄骨または軽量鉄骨は、棒状のほか、断面がＨ形状であるＨ型鋼や中空のパイプ形状のもの等を用いても良い。
【００２１】
正面部３、側面部２及び背面部４の上端縁に接するように、天井部１が設けられている。天井部１は、背面部４に近い奥から正面部３に近い側へ、すなわち、作物栽培ハウス１００の奥から手前に向かって、下方に傾斜した面となっている。天井部１の高さは、背面部４に近い側、すなわち一番高い部分の高さが５メートルから１０メートルであり、正面部３に近い側、すなわち一番低い部分の高さは、一番高い部分の４分の３から２分の１程度の高さとなっている。天井部１は、鉄骨でできた略長方形状の枠体である天井枠体１１のなかに中骨１０が設けられ、枠体１１と中骨１０で囲まれた内側に、外側金網１２が張られている。外側金網１２の裏側には平面体１３（不図示）と内側金網１４（不図示）が重ねて設けられている。平面体１３及び内側金網１４については後述する。
【００２２】
天井部１は、傾斜がつけられているため、雨が降ったときは、水が天井に溜まることなく流れおち、雪が降ったときも、ある程度積もると雪の重みで傾斜を滑り落ちる。そのため、天井部１に余計な加重がかからず、掃除やメンテナンスが容易である。
【００２３】
図２は、作物栽培ハウス１００の枠体の正面及び右側面を示す図である。正面部３の正面枠体３１の内側には複数の中骨３０が正面枠体３１に対して垂直または平行に張られている。また、強度を増すため、クロス中骨３５が斜めに設けられている。側面部２の右側にある側面枠体２１の内側にも、複数の中骨２０が側面枠体２１に対し垂直または平行に張られており、さらに、強度を増すためクロス中骨２９が斜めに張られている。
【００２４】
右側の側面枠体２１の上方には、床に対し平行な角度をもって、ジャッキ設置用中骨２８が設けられている。ジャッキ設置用中骨２８には、天井部１を持ち上げるためのシリンダージャッキ２５が設けられている。ジャッキ設置用中骨２８は、枠体を補強すると共に、天井部１を持ち上げるシリンダージャッキ２５を固定するための土台となっている。
【００２５】
中骨３５、３０及び２０とクロス中骨１８、３５及び２９の数は、作物栽培ハウスの大きさに応じ、適当な強度が得られるように、複数本、設けることが望ましい。作物栽培ハウスの寸法が大きくなればなるほど、中骨３５、３０及び２０とクロス中骨１８、３５及び２９の本数は多くする必要がある。
【００２６】
側面枠体２１の内側に縦方向に複数張られた中骨２０は、それぞれ、地面に対して垂直に立設されており、正面部３に近い場所に設けられた中骨２０より背面部４に近い場所に設けられた中骨２０のほうが長さが長くなっている。側面枠体２１の内側には横方向にも中骨２０が複数張られている。側面枠体２１の上縁の枠は、奥から手前に向かって、換言すると背面部３の側から正面部３の側へ向かって、下方に傾斜している。
【００２７】
正面枠体３１、側面枠体２１、及び背面枠体４１の上端縁に接するように、天井枠体１１が設けられている。天井枠体１１は、略縦長の長方形状であって、内側に、枠体１１に対し垂直または平行に、複数の中骨１０が張り巡らされている。天井枠体１１の強度を増すため、複数のクロス中骨１８も天井枠体１１に対し斜めの角度をもって設けられている。天井部１と正面部３が接する辺には、回転軸を有する接続具１７取り付けられており、天井部１の他の辺は、接続されていない。天井枠体１１は、接続部１７によって、正面枠体３１に対し回転可能となるよう取り付けられている。
【００２８】
図３に示すように、作物栽培ハウス１００の左側にある側面部２は、右側の側面部２と同様の構成となっており、左右対称となっている。左側の側面部２にも、側面枠体２１の内側に、複数の中骨２０が張られており、強度を増すため、複数のクロス中骨２９も設けられている。左側の側面枠体２１の上方には、床に対し平行な角度をもって、ジャッキ設置用中骨２８が設けられている。ジャッキ設置用中骨２８には、天井部１を持ち上げるためのシリンダージャッキ２５が設けられている。ジャッキ設置用中骨２８は、枠体を補強すると共に、天井部１を持ち上げるシリンダージャッキ２５を固定するための土台となっている。
【００２９】
図４は、図１に示した作物栽培ハウス１００の背面の枠体を示す参考図である。図５は、図１に示した作物栽培ハウス１００の背面図である。図６は、図５に示した作物栽培ハウス１００のＡ−Ａ断面図であり、図７は、図６に示した作物栽培ハウスのＢ部拡大図である。
【００３０】
図４に示すように、作物栽培ハウス１００の背面部４の背面枠体４１は、略長方形であって、棒状の鉄骨又は軽量鉄骨に組んで作成してある。枠体を組む鉄骨又は軽量鉄骨は、中空のパイプ形状でも良く、また、Ｈ型鋼でも良い。背面枠体４１の内側には、複数の中骨４０が、背面枠体４１に対して垂直または平行に設けられている。さらに、強度を増すため、棒状のクロス中骨４２が斜めに設けられている。背面部３には、作業者が出入りしたり、農作業に使用する機械を搬入したりするための出入り口を設ける必要があるため、出入り口にあたる部分には、クロス中骨４２は設けられていない。
【００３１】
図５に示すように、背面部４には下方に、作業者が出入りしたり機械を搬入したりするための扉４６が設けられている。扉４６には、取っ手４６が設けられている。また、扉４６は、開閉可能となっている。扉４６には鍵をつけても良い。扉４６の代わりに、扉４６の部分だけ金網や平面体を設けず、シート状のネットを上から垂らして、自由に出入りできるようにしても良い。
【００３２】
図６に示すように、作物栽培ハウス１００は、天井部１が傾斜しているため、天井部１の上にゴミが貯まりにくく、また、雨や雪が降っても天井部１に貯まらず下方に滑り落ちるため、掃除やメンテナンスが容易である。さらに、鉄骨の枠体に、二枚の金網で補強をされた平面体を張り、金網と平面体をボルトで貫通して固定した構成となっているため、強靭である。そのため、天井部１の上に、作業者が乗って、メンテナンスを行ったり、清掃を行ったりすることも可能である。
【００３３】
また、図７の断面図が示すように、作物栽培ハウスの背面枠体４１の内側には、内側から順に、背面枠体４１、内側金網４５、平面体４４、外側金網４３が重ねられた状態で設けられている。背面枠体４１、内側金網４５、平面体４４及び外側金網４３は、ボルト４９を貫通させて互いに固定されている。ボルト４９の数は、作物栽培ハウスの大きさに合わせて、増減すると良い。風の強い地方に設置する場合は、ボルト４９で留める箇所を多くすると良い。平面体４４は、本実施の形態１では、ガラス板が用いられている。平面体４４の素材は、ガラス板に限定されることはなく、透明または半透明で平面体であれば良く、透明アクリル板や、厚手のビニールシートを用いても良い。
【００３４】
平面体４４は、外側金網４３と内側金網４５によって両側を保護補強されているため、破損しにくくなっている。外部から飛来物があった場合、飛来物や落下部物は外側金網４３に接触するため、平面体４４にかかる衝撃は緩和される。そのため、平面体４４が破損したり亀裂が入ったりすることを防止できる。また、作物栽培ハウス１００内で、作業者が側壁にぶつかる等した場合、作業者の体は、まず内側金網４５に接触するため、平面体４４にかかる衝撃は緩和される。従って、平面体４４がダメージを受けて破損することを防止できる。
【００３５】
作物栽培ハウス１００の正面部３も、背面部４と同様に、正面枠体３１の内側に、内側金網４５、平面体４４、外側金網４３が重ねられた状態で設けられている。換言すると、平面体３３を外側金網３２と内側金網３４とで挟んだ構造のものが正面枠体３１に張られている。正面枠体３１、内側金網４５、平面体４４及び外側金網４３も、ボルト４９を貫通させ互いに固定されているボルト４９の数は、作物栽培ハウスの大きさに合わせて、増減すると良い。
【００３６】
作物栽培ハウス１００の側面部２も同様に、側面枠体２１の内側に、平面体２３を外側金網２２と内側金網２４とで挟んだ構造のものが設けられている。正面枠体３１、内側金網３４、平面体３３及び外側金網３２は、ボルト３６を貫通させて互いに固定されておる。側面枠体２１、内側金網２４、平面体２３及び外側金網２２も、ボルト２７を貫通させ互いに固定されている。ボルト２７の数は、作物栽培ハウスの大きさに合わせて、増減すると良い。
【００３７】
作物栽培ハウス１００の天井部１も、側面部２と同様、平面体１３を外側金網１２と内側金網１４とで挟んだ構造となっており、天井枠体１１、内側金網１４、平面体１３及び外側金網１２はボルトで貫通させ固定されている。天井部１の上の傾斜面に作業者が上った際、作業者の体重は、天井部１の外側金網２２によって支えられるため、平面体１３には負荷がかからず、平面体１３に亀裂が入ったり、破損することがない。平面体１３を外側金網１２と内側金網１４とで挟んだ構造となっていることで、強度の高い天井部１とすることができ、天井部１の上面に重量のある太陽光パネル等を設置することも可能となっている。
【００３８】
平面体１３、２３、３３及び４４は、本実施の形態１では、ガラス板が用いられているが、透明や半透明の平面体であれば、ガラス板に限定されることはなく、アクリル板やビニールシートを用いても良い。
【００３９】
外側金網２２及び内側金網２４は、実施の形態１では、菱形金網からなっている。菱形金網の線径は、３ミリメートル以上７ミリメートル以下であって、網目は５センチメートル以上３５センチメートル以下のものが良い。最適なものは、線径４ミリメートル以上６ミリメートル以下であって、網目は１０センチメートル以上１５センチメートル以下のものである。ここで、線径とは線の直径をいう。線径が太すぎたり網目が細かすぎると日光を遮ってしまい作物の生育に悪影響が出るし、線径が細すぎたり網目が荒すぎると平面体２３を保護し補強する役割を担えなくなるため、程よい太さの線径と網目寸法の金網を用いることが必要である。
【００４０】
菱形金網の素材は、ビニール被覆鉄線製に限定されず、鉄線製、鋼線製、銅製、ステンレス製または亜鉛メッキ鉄線製その他の素材のものでも良い。さらに、菱形金網以外にも、クリンプ金網や溶接金網を用いても良い。クリンプ金網、溶接金網いずれの場合も線径が３ミリメートル以上７ミリメートル以下であって、網目が５センチメートル以上３５センチメートル以下のものを用いると良く、最適なものは線径４ミリメートル以上６ミリメートル以下であって、網目は１０センチメートル以上１５センチメートル以下のものである。
【００４１】
また、内側金網２４と平面体２３との間、平面体２３と外側金網２２との間は、それぞれ、若干の隙間が設けられている。隙間があることによって、外側金網２２と内側金網２４が、平面体２３に傷をつけたり、圧迫して平面体２３を破損することを予防できる。
【００４２】
さらに、本実施の形態１の作物栽培ハウスは、平面体２３の交換が不要であり、手間やコストが削減できる。通常、作物栽培用のビニールハウスでは、ビニール素材部分が消耗するため、苺用ハウスであれば毎年、他の作物用であっても少なくとも数年ごとにビニールを新調する必要がある。本実施の形態１の作物栽培ハウスは、平面体２３にガラス板を用いているため耐用年数が高く、何年でも使用することができる。また、平面体２３にビニールシートやアクリル板を用いた場合でも、外側金網２２と内側金網２４で挟んで平面体を保護補強して使用するため、ビニールシートやアクリル板が傷みにくく、通常より長持ちする。したがって、運用コストを低く抑えることができる。維持費用を低く抑えつつ、台風その他の強風の被害や大雪大雨の被害から確実に作物を守ることができる作物栽培ハウスを提供することができる。
【００４３】
作物栽培ハウス１００は、頑丈で、維持管理が楽なだけでなく、換気も行うことができる。作物を温室内で栽培すると、作物から発せられる湿気で、温室内の湿度が高くなることがある。湿度が高くなりすぎると、作物の生育に悪影響を与えるため、温室内を、時々、換気してやることが大切である。
【００４４】
図８は、図１に示した作物栽培ハウス１００の天井部１を開けた状態を示す斜視図であり、図９は、図８に示した作物栽培ハウス１００の枠体を示す参考図である。図１０は、図５に示した作物栽培ハウス１００の天井部１を開けた状態のＡ−Ａ断面図である。図１１は、図１に示した作物栽培ハウス１００の正面図であり、図１２は、図１に示した作物栽培ハウス１００の平面図である。
【００４５】
図８に示すように、天井部１は、正面部３と接する側の辺のみ、接続具１７によって正面部３の上端縁と回転可能に接続されており、側面部２や背面部４と接する辺は、天井部１と接続されていない。天井部１は開閉可能となっており、天井部１を開けると、天井部１と側面部２及び背面部４との隙間から換気を行うことができる。
【００４６】
図９に示すように、換気を行いたいときは、ジャッキ設置用中骨２８の上に設けられたシリンダージャッキ２５を操作して、シリンダージャッキ２５を伸張させる。すると、シリンダージャッキ先端が天井枠体１１を持ち上げて、天井部１と背面部４との間に、換気するのに十分な空間が形成される。作物栽培ハウスは、作物から出る湿気が内部にこもり、湿度が高くなりすぎると作物の生育に悪影響を与えるため、天井部１を持ち上げて、数日に１回程度、換気を行うと良い。
【００４７】
図１０に示すように、シリンダージャッキ２５は、ジャッキ設置用中骨２８上の、背面部４寄りに固定されている。シリンダージャッキ２５の種類は、シリンダー型に限定されることはなく、油圧ジャッキを用いても良い。ジャッキは、ハンドルを回して作動するようにしても良いし、また、電動で伸縮可能としても良い。  
【００４８】
図１１のように、作物栽培ハウス１００は、正面視、横長の略長方形状の正面部３と、その上に天井部１を有する。天井部１は、天井枠体１１の内側に複数の中骨１０を設け、その間に二枚の金網に挟まれたガラス板を設けて構成されている。金網やガラス板は、日光を遮らず、雨や風から作物を守りつつ、日光をよく透過させ、作物の光合成を妨げない。また、天井部１は、傾斜がつけられているため、雨が降ったときは、水が天井部１の上にたまらず流れおち、雪が降ったときも、ある程度積もると雪の重みで天井部１の傾斜を滑り落ちる。そのため、天井部１に余計な加重がかかることを防止できる。
【００４９】
図１２のように、天井部１は、横長の長方形状の枠体である天井枠体１１が設けられ、その内側に天井枠体１１に垂直または平行に設けられた中骨１０があり、天井枠体１１と中骨１０の間には、外側金網１２が張られている。外側金網１２の裏側に平面体１３が設けられ、平面体１３を挟んで内側金網１４が張られている。平面体１３は、透明なガラス板であるため、金網越しの日光を透過しやすく、作物の光合成を妨げない。また、外から、作物栽培ハウス内の作物の生育状況を確認しやすい。さらに、平面体１３内側金網１４と外側金網１２とで挟みこんで、両側から補強してあるため、上からの落下物や外からの衝撃によって平面体１３が破損することを防ぐことができる。外側金網１２は、強度があり、滑りにくいため、天井部１に作業者が乗ってメンテナンスや清掃を行うこともできる。
【００５０】
（実施の形態２）
次に、図１３から図１７を用いて、実施の形態２にかかる作物栽培ハウスを説明する。
【００５１】
図１３は、この発明の実施の形態２にかかる作物栽培ハウス２００を示す斜視図であり、図１４は、図１３に示した作物栽培ハウス２００の背面図である。図１５は、図１４に示した作物栽培ハウス２００のＣ−Ｃ断面図である。図１６は、図１３に示した作物栽培ハウス２００の天井部１を開けた状態を示す斜視図である。図１７は、図１４に示した作物栽培ハウス２００の天井部１を開けた状態のＣ−Ｃ断面図である。
【００５２】
図１３に示すように、作物栽培ハウス２００は、天井部１の天井枠体１１の端縁であって側面部２及び背面部４に接する外縁に、ネット１６が取り付けられていることを特徴とする。ネット１６は、天井枠体１１の外縁の正面部３に近いほうは短く、背面部４に近くなるほど長い丈のものが取り付けられている。また、ネット１６の先端であって、背面部４の両脇近辺には、錘１９が設けられている。錘１９は、細い紐状または鎖状物の先端に、重りとなる球体を取り付けたものであり、ネット１６が風にあおられてめくれないよう重りの役目を担っている。
【００５３】
図１４に示すように、背面部４は、背面枠体４１は、略長方形状の背面枠体４１の内側に、背面枠体４１に対して垂直または平行して複数の中骨４０が設けられている。背面部４には、作業者が出入りしたり、農機具を搬入したりできる出入り口として扉４６が設けられており、扉４６には取っ手４８が取り付けられている。扉４６は、開閉可能となっている。扉４６には鍵をつけても良い。扉４６の代わりに、扉４６の部分だけ金網や平面体を設けず、シート状のネットを上から垂らして、自由に出入りできるようにしても良い。
【００５４】
図１５に示すように、ジャッキ設置用中骨２８の上には、シリンダージャッキ２５が固定されている。シリンダージャッキ２５は、伸張可能となっていて、天井部１を開けたいときは、シリンダージャッキ２５を作動させ、シリンダージャッキ２５の先端を伸張させると、天井部１がシリンダージャッキ２５の先端に押圧され、ゆっくりと持ち上がる。
【００５５】
図１６に示すように、作物栽培ハウス２００の天井部１を開けると、天井部１の外縁に設けられたネット１６も一緒に持ち上がって、天井部１と背面部４及び側面部２との間隙を覆う。ネット１６は、通気性を有し、空気が通りやすいため、換気をしつつ、間隙から虫やゴミが侵入することを防ぐことができる。ネット１６の端には錘１９が設けられているため、ネット１６がめくれたりせず、小さな虫や細かいゴミの侵入を防ぐことができる。また、天井部１を閉める際に、錘１９があるので、ネット１６がよれて天井部１と背面部４及び側面部２との間隙に挟まったりすることがなく、スムーズに天井部１の開閉を行うことができる。
【００５６】
ネット１６、錘１９及び、背面部４以外の部分は、実施の形態１と同じ構成であるため、説明を省略する。
【００５７】
図１７に示すように、ジャッキ設置用中骨２８設置されているシリンダージャッキ２５を操作してシリンダージャッキ２５を伸張させると、天井部１が持ち上がって、天井部１と背面部４との間に間隙が生じる。シリンダージャッキ２５で天井部１を持ち上げる構造については、たとえば、天井枠体１１の外縁であって側面部２と接する端に、レール上の溝が設け、シリンダージャッキ２５の先端をその溝に嵌めておき、シリンダージャッキ２５が伸張すると、レールに沿ってシリンダージャッキ２５の先端がゆっくりと下方へ滑って、天井部１をゆっくりと持ち上げるような構造する。または、レールを設けず、変わりに、シリンダージャッキ２５の先端に車輪を設けて、シリンダージャッキ２５が伸張すると車輪が天井部１の下方に滑って、天井部１を持ち上げるようにしても良い。
【００５８】
（実施の形態３）
次に、図１８及び図１９を用いて、実施の形態３にかかる作物栽培ハウス３００を説明する。図１８は、この発明の実施形態３にかかる作物栽培ハウス３００の参考断面図であり、図１９は、図１８に示した作物栽培ハウス３００の天井部１を開けた状態の参考断面図である。
【００５９】
実施の形態３にかかる作物栽培ハウス３００は、図１８に示すように、天井部１の裏側に、換気扇１５を取り付けたことを特徴とする。作物を栽培する温室は、空気が滞留しやすく、また、作物から出る湿気によって、湿度が高くなりやすい。湿度が高くなりすぎると、作物の生育に悪影響を与えるし、空気が滞留すると、害虫が繁殖しやすくなる。
【００６０】
そこで、図１８のように、天井部１を閉めた状態で換気扇１５を作動させると、ハウス内の空気を循環させることができる。ハウス内に空気の滞留した場所があると、害虫が繁殖しやすくなる。雨天などで、天井部１が開けられないときでも、換気扇によってハウス内の空気を循環させ、空気の滞留を防ぐことができる。
【００６１】
また、晴天時は、図１９のように、天井部１を開けた状態で換気扇１５を作動させると、ハウス内の空気と外気の入れ替えを、さらに、効率よく行うことができる。したがって、雨の日も、晴れの日も、換気扇１５を上手に使って、空気の入れ替えや空気循環を行うことにより、害虫被害を防ぎ、作物を上手に生育させることができる。
【００６２】
天井部１の上には、太陽光パネルを取り付けても良い。天井部１は、傾斜しており、太陽光パネルの設置場所に最適である。また、太陽の高さにより、天井部１の傾斜を変え、太陽光パネルの設置角度を変えることができるので、太陽光発電を効率良く行うことができる。発生した電力は、天井部１の開閉する動力に使用したり、作物栽培ハウス内の照明器具の電源として使用しても良い。
【００６３】
本実施の形態では、天井部１の外端縁のうち、正面部２と接する縁を接続具で接続させ、天井部１の背面部４に近い側を開閉できる構造としたが、開閉場所はこの方向に限定されるものではなく、天井部１の外端縁のうち、背面部４と接する側を接続し、天井部１の正面部２に近い側を開閉できる構造としても良い。
【符号の説明】
【００６４】
１００，２００，３００  作物栽培ハウス
１  天井部
１０  中骨
１１  天井枠体
１２  外側金網
１３  平面体
１４  内側金網
１５  換気扇
１６  ネット
１７  接続具
１８  クロス中骨
１９  錘
２  側面部
２０  中骨
２１  側面枠体
２２  外側金網
２３  平面体
２４  内側金網
２５  シリンダージャッキ
２７  ボルト
２８  ジャッキ設置用中骨
２９  クロス中骨
３  正面部
３０  中骨
３１  正面枠体
３２  外側金網
３３  平面体
３４  内側金網
３５  クロス中骨
３６  ボルト
４  背面部
４０  中骨
４１  背面枠体
４２  クロス中骨
４３  外側金網
４４  平面体
４５  内側金網
４６  扉
４８  取っ手
４９  ボルト
【図１】
0005838236.tif 000002
【図２】
0005838236.tif 000003
【図３】
0005838236.tif 000004
【図４】
0005838236.tif 000005
【図５】
0005838236.tif 000006
【図６】
0005838236.tif 000007
【図７】
0005838236.tif 000008
【図８】
0005838236.tif 000009
【図９】
0005838236.tif 000010
【図１０】
0005838236.tif 000011
【図１１】
0005838236.tif 000012
【図１２】
0005838236.tif 000013
【図１３】
0005838236.tif 000014
【図１４】
0005838236.tif 000015
【図１５】
0005838236.tif 000016
【図１６】
0005838236.tif 000017
【図１７】
0005838236.tif 000018
【図１８】
0005838236.tif 000019
【図１９】
0005838236.tif 000020